(57)【要約】  無線通信システムにおいて通信する方法は、チャネル状態情報（CSI）プロセス識別子と、非ゼロパディングされたCSI参照信号（CSI-RS）識別子と、干渉測定リソース（IMR）識別子と、チャネル品質インジケータ（CQI）報告構成情報とを含むCSIプロセス情報要素（IE）を生成することを含む（ブロック407）、この方法はまた、CSIプロセスIEを送信することを含む（ブロック410）。
2015534396.tif 000002
【特許請求の範囲】
【請求項１】
無線通信システムにおいて通信する方法であって、
デバイスにより、チャネル状態情報（CSI）プロセス識別子と、非ゼロ電力CSI参照信号（CSI-RS）識別子と、干渉測定リソース（IMR）識別子と、チャネル品質インジケータ（CQI）報告構成情報とを含むCSIプロセス情報要素（IE）を生成するステップと、
前記デバイスにより、前記CSIプロセスIEを送信するステップと
を有する方法。
【請求項２】
前記CQI報告構成情報は、CQI報告構成識別子を有する、請求項１に記載の方法。
【請求項３】
前記CQI報告構成情報は、周期的CQI報告構成識別子と、非周期的CQI報告構成識別子とを有する、請求項１に記載の方法。
【請求項４】
前記CQI報告構成情報は、CQI報告構成IEを有する、請求項１に記載の方法。
【請求項５】
前記CSIプロセスIEは、単一のCSIプロセスについての情報を有する、請求項１に記載の方法。
【請求項６】
前記CSIプロセスIEは、単一の受信デバイスに関連するCSIプロセスについての情報を有する、請求項１に記載の方法。
【請求項７】
前記CSIプロセスIEは、電力オフセットを更に有する、請求項１に記載の方法。
【請求項８】
前記CQI報告構成情報に従ってCQIを受信するステップを更に有する、請求項１に記載の方法。
【請求項９】
無線通信システムにおいて通信する方法であって、
受信デバイスにより、チャネル状態情報（CSI）プロセス識別子と、非ゼロ電力CSI参照信号（CSI-RS）識別子と、干渉測定リソース（IMR）識別子と、チャネル品質インジケータ（CQI）報告構成情報とを含むCSIプロセス情報要素（IE）を受信するステップと、
前記受信デバイスにより、前記CSIプロセスIEを処理するステップと
を有する方法。
【請求項１０】
前記CQI報告構成情報は、CQI報告構成識別子を有する、請求項９に記載の方法。
【請求項１１】
前記CQI報告構成情報は、周期的CQI報告構成識別子と、非周期的CQI報告構成識別子とを有する、請求項９に記載の方法。
【請求項１２】
前記CQI報告構成情報は、CQI報告構成IEを有する、請求項９に記載の方法。
【請求項１３】
前記CSIプロセスIEは、単一のCSIプロセスについての情報を有する、請求項９に記載の方法。
【請求項１４】
前記CSIプロセスIEは、単一の受信デバイスに関連するCSIプロセスについての情報を有する、請求項９に記載の方法。
【請求項１５】
前記非ゼロ電力CSI-RS識別子及び前記IMR識別子に従って通信チャネルを測定するステップと、
前記測定された通信チャネルからCQIを導くステップと、
前記CQI報告構成情報に従って前記CQIを送信するステップと
を更に有する、請求項９に記載の方法。
【請求項１６】
前記CSIプロセスIEは、電力オフセットを更に有し、
前記方法は、前記電力オフセットに従って前記CQIを調整するステップを更に有する、請求項１５に記載の方法。
【請求項１７】
チャネル状態情報（CSI）プロセス識別子と、非ゼロ電力CSI参照信号（CSI-RS）識別子と、干渉測定リソース（IMR）識別子と、チャネル品質インジケータ（CQI）報告構成情報とを含むCSIプロセス情報要素（IE）を生成するように構成されたプロセッサと、
前記プロセッサに動作可能に結合され、前記CSIプロセスIEを送信するように構成された送信機と
を有するデバイス。
【請求項１８】
前記CQI報告構成情報は、CQI報告構成識別子を有する、請求項１７に記載のデバイス。
【請求項１９】
前記CQI報告構成情報は、周期的CQI報告構成識別子と、非周期的CQI報告構成識別子とを有する、請求項１７に記載のデバイス。
【請求項２０】
前記CQI報告構成情報は、CQI報告構成IEを有する、請求項１７に記載のデバイス。
【請求項２１】
前記デバイスは、evolved  NodeBと、CSIプロセスを構成するタスクを有するエンティティとのうち１つである、請求項１７に記載のデバイス。
【請求項２２】
チャネル状態情報（CSI）プロセス識別子と、非ゼロ電力CSI参照信号（CSI-RS）識別子と、干渉測定リソース（IMR）識別子と、チャネル品質インジケータ（CQI）報告構成情報とを含むCSIプロセス情報要素（IE）を受信するように構成された受信機と、
前記受信機に動作可能に結合され、前記CSIプロセスIEで動作するように構成されたプロセッサと
を有する受信デバイス。
【請求項２３】
前記プロセッサは、前記非ゼロ電力CSI-RS識別子及び前記IMR識別子に従って通信チャネルを測定し、前記測定された通信チャネルからCQIを導くように構成され、
前記受信デバイスは、前記プロセッサに動作可能に結合され、前記CQI報告構成情報に従って前記CQIを送信するように構成された送信機を更に有する、請求項２２に記載の受信デバイス。
【請求項２４】
前記CSIプロセスIEは、電力オフセットを更に有し、
前記プロセッサは、前記電力オフセットに従って前記CQIを調整するように構成される、請求項２３に記載の受信デバイス。
【請求項２５】
前記受信デバイスは、evolved  NodeBと、ユーザ装置とのうち１つを有する、請求項２２に記載の受信デバイス。
【発明の詳細な説明】
【技術分野】
【０００１】
この出願は、2013年9月27日に“System  and  Method  for  Configuring  Channel  State  Information  in  a  Communications  System”という題で出願された米国非仮出願第14/040,306号及び2012年9月27日に“System  and  Method  for  Channel  State  Information  Configuration”という題で出願された米国仮出願第61/706,610号の利益を主張し、これらの出願を援用する。
【０００２】
この開示は、概してデジタル通信に関し、特に通信システムにおいてチャネル状態情報を構成（設定）するシステム及び方法に関する。
【背景技術】
【０００３】
概して、3GPP（Third  Generation  Partnership  Project）LTE（Long  Term  Evolution）のリリース11（Rel-11）に準拠したチャネル状態情報（CSI：channel  state  information）プロセスは、新たな送信モードTM10に対処するために、CSIフィードバック機構を提供する。3GPP  LTEの以前のリリースのCSIプロセスと比べて、Rel-11では、単一のキャリアにおいて複数のCSIプロセスが同時に構成され得る。Rel-11のCSIプロセスは、“非ゼロ電力（NZP：non-zero  power）CSI参照シンボル（CSI-RS：CSI  reference  symbol）リソースと干渉測定リソース（IMR：interference  measurement  resource）との組み合わせであり、所与のCSIプロセスは周期的及び／又は非周期的な報告により使用され得る”として記載されている。従って、CSIプロセス構成自体が、下りリンク協調マルチポイント（CoMP：coordinated  multiple  point）動作のための無線リソース制御（RRC：radio  resource  control）パラメータのほとんどを含む。
【発明の概要】
【発明が解決しようとする課題】
【０００４】
この開示の例示的な実施例は、通信システムにおいてチャネル状態情報を構成するシステム及び方法を提供する。
【課題を解決するための手段】
【０００５】
この開示の例示的な実施例によれば、無線通信システムにおいて通信する方法が提供される。この方法は、デバイスにより、チャネル状態情報（CSI：channel  state  information）プロセス識別子と、非ゼロ電力CSI参照信号（CSI-RS：CSI  reference  signal）識別子と、干渉測定リソース（IMR：interference  measurement  resource）識別子と、チャネル品質インジケータ（CQI：channel  quality  indicator）報告構成情報とを含むCSIプロセス情報要素（IE：information  element）を生成することを含む。この方法はまた、デバイスにより、CSIプロセスIEを送信することを含む。
【０００６】
この開示の他の例示的な実施例によれば、無線通信システムにおいて通信する方法が提供される。この方法は、受信デバイスにより、チャネル状態情報（CSI：channel  state  information）プロセス識別子と、非ゼロ電力CSI参照信号（CSI-RS：CSI  reference  signal）識別子と、干渉測定リソース（IMR：interference  measurement  resource）識別子と、チャネル品質インジケータ（CQI：channel  quality  indicator）報告構成情報とを含むCSIプロセス情報要素（IE：information  element）を受信することを含む。この方法はまた、デバイスにより、CSIプロセスIEを処理することを含む。
【０００７】
この開示の他の例示的な実施例によれば、デバイスが提供される。このデバイスは、プロセッサと、プロセッサに動作可能に結合された送信機とを含む。プロセッサは、チャネル状態情報（CSI：channel  state  information）プロセス識別子と、非ゼロ電力CSI参照信号（CSI-RS：CSI  reference  signal）識別子と、干渉測定リソース（IMR：interference  measurement  resource）識別子と、チャネル品質インジケータ（CQI：channel  quality  indicator）報告構成情報とを含むCSIプロセス情報要素（IE：information  element）を生成する。送信機は、CSIプロセスIEを送信する。
【０００８】
この開示の他の例示的な実施例によれば、受信デバイスが提供される。この受信デバイスは、受信機と、受信機に動作可能に結合されたプロセッサとを含む。受信機は、チャネル状態情報（CSI：channel  state  information）プロセス識別子と、非ゼロ電力CSI参照信号（CSI-RS：CSI  reference  signal）識別子と、干渉測定リソース（IMR：interference  measurement  resource）識別子と、チャネル品質インジケータ（CQI：channel  quality  indicator）報告構成情報とを含むCSIプロセス情報要素（IE：information  element）を受信する。プロセッサは、CSIプロセスIEで動作する。
【０００９】
実施例の１つの利点は、複数のCSIプロセスが単一のキャリアについて構成され得る点であり、受信デバイスが複数の送信ポイントからのチャネルのチャネル品質を測定することを可能にする。
【００１０】
実施例の更なる利点は、複数のCSIプロセスがそれぞれの識別子に従って参照される点であり、これは、シグナリングオーバーヘッドを低減するのに役立つ。
【図面の簡単な説明】
【００１１】
【図１】ここに記載の例示的な実施例による例示的な通信システム
【図２】ここに記載の例示的な実施例に従って第１のデバイスと第２のデバイスとの間で交換されるメッセージを強調した例示的なメッセージ交換図
【図３】ここに記載の例示的な実施例による通信システムにおける例示的なCoMP送信の図
【図４】ここに記載の例示的な実施例に従ってデバイスが受信デバイスのCSIプロセスを構成するときにデバイスにて生じる動作の例示的なフローチャート
【図５ａ】ここに記載の例示的な実施例に従って個々にシグナリングされるCSIプロセス毎の情報でデバイスが受信デバイスのCSIプロセスを構成するときにデバイスにて生じる動作の例示的なフローチャート
【図５ｂ】ここに記載の例示的な実施例に従って一緒にシグナリングされる単一の受信デバイスのCSIプロセスの情報でデバイスが受信デバイスのCSIプロセスを構成するときにデバイスにて生じる動作の例示的なフローチャート
【図６】ここに記載の例示的な実施例に従って受信デバイスがCSI報告を実行するときに受信デバイスにて生じる動作の例示的なフローチャート
【図７ａ】ここに記載の例示的な実施例に従ってCSIプロセスについての情報を送信するために使用される第１の例示的なIE
【図７ｂ】ここに記載の例示的な実施例に従ってCSIプロセスについての情報を送信するために使用される第２の例示的なIE
【図７ｃ】ここに記載の例示的な実施例に従ってCSIプロセスについての情報を送信するために使用される第３の例示的なIE
【図７ｄ】ここに記載の例示的な実施例に従ってCSIプロセスについての情報を送信するために使用される第４の例示的なIE
【図８】ここに記載の例示的な実施例による例示的な第１の通信デバイス
【図９】ここに記載の例示的な実施例による例示的な第２の通信デバイス
【発明を実施するための形態】
【００１２】
この開示及びその利点の更に完全な理解のため、添付図面を考慮して以下の説明に言及が行われる。
【００１３】
この例示的な実施例の動作及びその構成について以下に詳細に説明する。しかし、この開示は、広範囲の特定の状況に具現され得る多くの適用可能な発明の概念を提供することが分かる。説明する特定の実施例は、この開示の特定の構成及びこの開示を動作させる方法の単なる例であり、この開示の範囲を限定するものではない。
【００１４】
この開示の一実施例は、通信システムにおいてチャネル状態情報を構成することに関する。例えば、デバイスは、CSIプロセス識別子と、非ゼロ電力CSI参照信号（CSI-RS）識別子と、干渉測定リソース（IMR）識別子と、チャネル品質インジケータ（CQI）報告構成情報とを含むCSIプロセスIEを送信する。他の例として、受信デバイスは、CSIプロセス識別子と、非ゼロ電力CSI参照信号（CSI-RS）識別子と、干渉測定リソース（IMR）識別子と、チャネル品質インジケータ（CQI）報告構成情報とを含むCSIプロセスIEを受信する。
【００１５】
この開示は、特定の状況における例示的な実施例（すなわち、単一のキャリアについて複数のCSIプロセスをサポートする3GPP（Third  Generation  Partnership  Project）LTE（Long  Term  Evolution）に準拠した通信システム）に関して説明する。しかし、この開示はまた、単一のキャリアについて複数のCSIプロセスをサポートする他の標準に準拠した通信システム及び非標準の通信システムにも適用され得る。
【００１６】
図１は、通信システム100を示している。通信システム100は、UE110-116のような複数のユーザ装置（UE：user  equipment）にサービス提供するeNB105及びeNB107を含む複数のeNB（evolved  NodeB）を含む。eNBはまた、NodeB、基地局、通信コントローラ等とも呼ばれることがあり、UEはまた、移動局、モバイル、端末、ユーザ、加入者等と呼ばれることがある。一般的に、UEへの送信又はUEからの送信は、そのサービングeNBによりUEに割り当てられたネットワークリソースで生じる。通信システムは複数のUEと通信することができる複数のeNBを使用してもよいことが分かるが、簡潔にするために、２つのみのeNB及び複数のUEが示されている。
【００１７】
良好な性能を実現し、通信の効率を増加させるために、送信及び／又は受信するデバイス（eNB及びUE、並びにサポートする通信に関与するもの）は、送信及び／又は受信するために使用される通信チャネルの品質又は状態を知る必要があり得る。典型的には、第１のデバイスは、第２のデバイスから受信した送信に基づいて、入来方向における自身と第２のデバイスとの間の通信チャネルの品質を測定することができてもよい。換言すると、第１のデバイスは、第２のデバイスから始まり第１のデバイスで終わる第１の一方向の通信チャネルの品質又は状態の測定を実行することができてもよい。しかし、第１のデバイスで始まり第２のデバイスで終わる第２の一方向の通信チャネルの品質又は状態を測定することは容易ではないことがある。時分割双方向の通信チャネルでは、第１の一方向の通信チャネルの品質又は状態から第２の一方向の通信チャネルの品質又は状態を導くために、チャネル相互関係が使用されてもよい。しかし、チャネル相互関係は、周波数分割多重通信チャネルで使用される場合、又は反対方向に進む対応する一方向の通信チャネルが存在しない場合、良好な結果を提供しない。
【００１８】
周波数分割多重通信チャネルでは、一般的に使用される技術は、第２のデバイスに対して、第１のデバイスにより行われた送信に基づいて第２の一方向の通信チャネルの品質又は状態を測定させ、第２の一方向の通信チャネルの測定品質又は測定状態を第１のデバイスに報告させることである。通信チャネルの品質又は状態はCSIと呼ばれ、この技術は、一般的にCSI報告と呼ばれる。
【００１９】
図２は、第１のデバイス205と第２のデバイスとの間で交換されるメッセージを強調したメッセージ交換図200を示している。メッセージ交換図200は、第２のデバイス210が第１のデバイス205と第２のデバイス210との間の一方向の通信チャネルのCSIを測定して報告するときに、第１のデバイス205と第２のデバイス210との間で交換されるメッセージを強調している。
【００２０】
第１のデバイス205は、（イベント215に示すように）構成情報（又はその識別情報）を第２のデバイス210に送信することにより、第２のデバイス210におけるCSI動作を構成してもよい。例示的な例として、構成情報は、第２のデバイス210が一方向のチャネルのCSIを決定するために測定する指定の時間周波数リソース、どの信号を第１のデバイス205が指定の時間周波数リソースで送信するか、いつ第２のデバイス210がCSIを報告するか、どのくらいの長さだけ第２のデバイス210がCSI動作を続けるか等を含んでもよい。第１のデバイス205は、（イベント220に示すように）測定目的のために指定の時間周波数リソースで信号を送信してもよい。
【００２１】
第２のデバイス210は、（イベント225に示すように）指定の時間周波数リソースで信号を測定し、測定に従ってチャネル品質インジケータ（CQI）を生成してもよい。CQIは、CSIの量子化された表現と考えられてもよい。第２のデバイス210は、（イベント230に示すように）構成情報に従ってCQIを第１のデバイス205に報告してもよい。図２の説明は、第２のデバイス210によるCQIの報告に焦点を当てているが、第２のデバイス210は、生の測定、量子化されていないCSI、CSIの変換、CSIの数学関数等を含み、様々な形式でCSIを報告してもよい。
【００２２】
協調マルチポイント（CoMP）動作は、リソース利用、ダイバーシチ利得、通信システムの性能等を改善するために複数の送信ポイント（例えば、eNB、マクロセル、ピコセル、リモートアンテナ、リモート無線ヘッド（RRH：remote  radio  head）等）が単一の受信ポイント（例えば、UE、eNB等）に送信することを可能にする3GPP  LTE技術標準に対する比較的新たな追加である。説明目的で、CoMP送信について詳細に説明する。しかし、例示的な実施例はまた、CoMP受信でも動作可能である。従って、CoMP送信に焦点を当てることは、例示的な実施例の範囲又は要旨を限定するものとして解釈されるべきではない。
【００２３】
図３は、通信システム300におけるCoMP送信を示している。図３に示すように、通信システム300は、３つの送信ポイント（送信ポイント305、送信ポイント307及び送信ポイント309）とUE320とを含む。単一の送信ポイントからの送信を受信するだけより大きい通信効率を潜在的に実現するために、３つの送信ポイントはUE320に送信し、UE320は、３つの送信ポイントからの送信を結合する。
【００２４】
前述のように、良好な通信性能を取得するために、３つの送信ポイントは、自身とUE320との間の通信チャネルの品質又は状態を認識する必要があり得る。UE320は、３つの送信ポイントのそれぞれにより行われた送信の別々の測定を行い、CSIを３つの送信ポイントに報告してもよい。
【００２５】
例示的な実施例によれば、3GPP  LTEのリリース11での単一のキャリアにおいて複数のCSIプロセスの同時構成についてのサポートは、通信システムにおけるCoMP送信の効率的な実現を可能にし得る。デバイス（すなわち、３つの送信ポイントのうち１つ、３つの送信ポイントのうち１つのコントローラ、CSIを構成するタスクを有する通信システムのエンティティ等）は、受信ポイント（例えばUE320）に対して、適切な数のCSIプロセス（この例では３つ）を初期化し、複数の送信ポイント（例えば、３つの送信ポイント）から受信ポイント（例えば、UE320）への通信チャネルを測定するように構成してもよい。
【００２６】
送信ポイントが複数の受信ポイントに送信するCoMP受信の事例では、デバイス（すなわち、送信ポイント、送信ポイントのコントローラ、CSIを構成するタスクを有する通信システムのエンティティ等）は、受信ポイントのそれぞれに対して、適切な数のCSIプロセスを初期化し、送信ポイントから受信ポイントのそれぞれへの通信チャネルを測定するように構成してもよい点に留意すべきである。複数の受信ポイントが関与するため、デバイスは、それぞれの受信ポイントを別々に構成してもよい。しかし、CSI構成情報を全ての受信ポイントにブロードキャストすることも可能になり得る。
【００２７】
例示的な実施例によれば、3GPP  LTEのリリース11のCSIプロセスの特徴（複数のCSIプロセスがキャリアについて同時に構成され得ること、NZPリソースとIMRとの組み合わせを含む）を利用して、CSI構成が提示される。CSI構成の第１の部分は、所与のE-UTRAN（evolved  Universal  Mobile  Telecommunications  System  (UMTS)  Terrestrial  Radio  Access  Network）キャリアにおける対応するCSI処理を識別するために使用され得るCSIプロセス識別子（CSI  ID）を含む。CSI構成の第２の部分は、NZP  CSI-RS及びIMRを含むCSI測定部分（すなわち、CSI測定に使用されるリソース）を含む。CSI構成の第３の部分は、例えば、周期的及び／又は非周期的な報告のための報告（レポート）構成を含む。CSIプロセスはキャリア毎に構成されるため、CSIプロセスの要素（部分）もキャリア毎に構成されることが合理的である点に留意すべきである。CSIプロセスは、eNB、UE等のような3GPP  LTEに準拠した通信システム及びデバイスに実現されてもよい。
【００２８】
図４は、デバイスが受信デバイスのCSIプロセスを構成するときにデバイスにて生じる動作400のフローチャートを示している。動作400は、デバイスが受信デバイス（UE又はeNB等）のCSIプロセスを構成するときにデバイス（eNB、eNBのコントローラ、UE等）で生じる動作を示してもよい。
【００２９】
動作400は、デバイスが受信デバイス（UE、eNB又はUEとeNBとの組み合わせ等）のCSIプロセスを構成することで始まってもよい（ブロック405）。例示的な実施例によれば、デバイスは、受信デバイス毎に別々にCSIプロセスを構成してもよい。換言すると、デバイスは、第１の受信デバイスのCSIプロセスを構成し、第２の受信デバイスのCSIプロセスを構成する等を行ってもよい。デバイスは、構成されたCSIプロセスについての情報を生成してもよい（ブロック407）。一例として、デバイスは、CSIプロセス情報要素（IE）を生成してもよい。デバイスは、構成されたCSIプロセスについての情報（例えば、CSIプロセスIE）を受信デバイスに送信してもよい（ブロック410）。例示的な実施例によれば、デバイスは、無線リソース制御（RRC：radio  resource  control）メッセージを使用して、構成されたCSIプロセスについての情報をそれぞれ個々の受信デバイスに送信してもよく、RRCメッセージは、個々の受信デバイスの構成されたCSIプロセスについての全ての情報を含んでもよい。或いは、複数のRRCメッセージがデバイスによりそれぞれ個々の受信デバイスに送信されてもよく、それぞれのRRCメッセージは単一の構成されたCSIプロセスについての情報を含んでもよい。デバイスは、構成されたCSIプロセスについての情報に従って、受信デバイスからCQI（又は他の形式のチャネル品質若しくはチャネル状態についての情報）を受信してもよい。
【００３０】
図５ａは、個々にシグナリングされるCSIプロセス毎の情報でデバイスが受信デバイスのCSIプロセスを構成するときにデバイスにて生じる動作500のフローチャートを示している。デバイスは、受信デバイスのCSIプロセスを構成し（ブロック505）、CSIプロセスのCSIプロセスIEを生成してもよい。デバイスは、個々のCSIプロセス毎の情報（すなわち、CSIプロセスIE）を受信デバイスに送信してもよい（ブロック510）。デバイスは、CSIプロセスの情報に従って、受信デバイスからCQI（又は他の形式のチャネル品質若しくはチャネル状態についての情報）を受信してもよい（ブロック515）。
【００３１】
図５ｂは、一緒にシグナリングされる単一の受信デバイスのCSIプロセスの情報でデバイスが受信デバイスのCSIプロセスを構成するときにデバイスにて生じる動作550のフローチャートを示している。デバイスは、受信デバイスのCSIプロセスを構成し（ブロック555）、CSIプロセスのCSIプロセスIEを生成してもよい。デバイスは、単一のメッセージで単一の受信デバイスのCSIプロセスの情報（すなわち、CSIプロセスIE）を受信デバイスに送信してもよい（ブロック560）。デバイスは、CSIプロセスの情報に従って、受信デバイスからCQI（又は他の形式のチャネル品質若しくはチャネル状態）を受信してもよい（ブロック565）。
【００３２】
図６は、受信デバイスがCSI報告を実行するときに受信デバイスにて生じる動作600のフローチャートを示している。動作600は、受信デバイスがCSI報告を実行するときに受信デバイス（UE又はeNB等）にて生じる動作を示してもよい。
【００３３】
動作600は、受信デバイスが受信デバイスについて構成されたCSIプロセスについての情報（すなわち、CSIプロセスIE）を受信することで始まってもよい（ブロック605）。複数のCSIプロセスが受信デバイスについて構成される場合、受信デバイスは、CSIについての情報を含む単一のメッセージを受信してもよく、個々のCSIプロセスについての情報を含む複数のメッセージを受信してもよい。受信デバイスは、CSIプロセスについての情報に従って通信チャネルを測定してもよい（ブロック610）。例示的な実施例によれば、通信チャネルを測定することは、受信デバイスがCSIプロセス毎にNZP  CSI-RSリソースを使用して信号強度を測定すること、及びCSIプロセス毎にIMRを使用して干渉を測定することを含んでもよい（ブロック620）。
【００３４】
受信デバイスは、測定に対して電力調整を行ってもよい（ブロック625）。電力調整の詳細な説明は以下に提示される。受信デバイスは、CQI報告を生成し（ブロック630）、例えばCQI（又は他の形式のチャネル品質若しくはチャネル状態についての情報）の形式で、CSIプロセスについての情報に従ってCQI報告を送信してもよい（ブロック635）。例示的な例として、CSI報告についての情報は、いつ受信デバイスがCSI報告を送信するか（時間、周期、頻度、イベントの受信（例えば、送信トリガー等）等）を指定してもよい。ブロック615〜630は、受信デバイスによるCSIプロセスIEの処理であると考えられてもよい。
【００３５】
前述のように、CSIプロセスについての情報は、デバイスにより受信デバイスに送信されてもよい。一般的に、CSIプロセスについての情報は、RRCメッセージのような高レイヤのメッセージで送信されてもよい。しかし、CSIプロセスについての情報をブロードキャストすることも可能でもよい。
【００３６】
図７ａは、CSIプロセスについての情報を送信するために使用される第１の例示的なIE700を示している。IE700は、CSIプロセスIEの例でもよく、デバイスにより送信されてもよい。IE700は、対応するCSIプロセスを識別するために使用され得るCSIプロセス識別子705と、NZP  CSI-RSリソースのリストからCSI報告のために測定されるリソースを識別するために使用され得るNZP  CSI-RS識別子707と、IMRのリストから干渉を測定するために使用される比を識別するために使用され得るIMR識別子709と、可能なCQI報告構成のリストから報告構成（すなわち、報告が周期的であるか非周期的であるか、及び報告時間、報告周期、報告頻度、報告イベント等のパラメータ）を識別するために使用され得るCQI報告構成識別子711とを含んでもよい。CQI報告構成識別子711は、CSIプロセスの可能なCQI報告構成のリストを含むCQI報告構成IEに関連してもよい。CQI報告構成識別子711の使用は、CQI報告がCSIプロセスを通じて独立して構成されることを可能にし得る。同様に、CSIプロセスは、対応するCQI報告構成IEが所望の通り周期的及び／又は非周期的な報告構成を含み得るため、周期的及び／又は非周期的な報告で構成されてもよい。
【００３７】
図７ｂは、CSIプロセスについての情報を送信するために使用される第２の例示的なIE720を示している。異なるCSIプロセスが同じ非周期的な報告構成を有するが、異なる周期的な報告構成を有することも可能であり、その逆も同様である。構成のオーバーヘッドを低減するのに役立ち得る更なる拡張は、CQIの非周期的な報告構成とCQIの周期的な報告構成とで別々の識別子を有することである。IE720は、対応するCSIプロセスを識別するために使用され得るCSIプロセス識別子725と、NZP  CSI-RSリソースのリストからCSI報告のために測定されるリソースを識別するために使用され得るNZP  CSI-RS識別子727と、IMRのリストから干渉を測定するために使用されるリソースを識別するために使用され得るIMR識別子729と、CQIの非周期的な報告に使用される可能な非周期的なCQI報告構成のリストから非周期的なCQI報告構成を識別するために使用され得るCQI非周期的報告構成識別子731と、CQIの周期的な報告に使用される可能な周期的なCQI報告構成のリストから周期的なCQI報告構成を識別するために使用され得るCQI周期的報告構成識別子733とを含んでもよい。
【００３８】
図７ｃは、CSIプロセスについての情報を送信するために使用される第３の例示的なIE740を示している。IE740は、対応するCSIプロセスを識別するために使用され得るCSIプロセス識別子745と、NZP  CSI-RSリソースのリストからCSI報告のために測定されるリソースを識別するために使用され得るNZP  CSI-RS識別子747と、IMRのリストから干渉を測定するために使用されるリソースを識別するために使用され得るIMR識別子749と、CQI報告構成に関する情報（例えば、非周期的及び／又は非周期的、周期、頻度、イベント、時間等）を伝達するために使用され得るCQI報告構成IE751とを含んでもよい。特定のCQI報告構成に関連付けるために識別子を使用するのではなく、IE740は、CQI報告構成IE751で使用されるCQI報告構成を含む。
【００３９】
図７ｄは、CSIプロセスについての情報を送信するために使用される第４の例示的なIE760を示している。CSIプロセスIEで構成される代わりに、CQI報告構成IEが使用されてもよい。IE760は、CQI報告構成IEであり、CQI報告構成IEが適用される対応するCSIプロセスを識別するために使用され得るCSIプロセス識別子765と、NZP  CSI-RSリソースのリストからCSI報告のために測定されるリソースを識別するために使用され得るNZP  CSI-RS識別子767と、IMRのリストから干渉を測定するために使用されるリソースを識別するために使用され得るIMR識別子769と、測定報告に関する他のパラメータとを含んでもよい。測定報告に関する他のパラメータの例は、CQI報告構成情報（非周期的及び／又は周期的な性質、周期、頻度、イベント、時間等）を含む。IE760の変形は、CQI報告構成IEが適用される対応するCSIプロセスを識別するために使用され得るCSIプロセス識別子765と、測定報告に関する他のパラメータとを含んでもよい。
【００４０】
ここに記載の例示的な実施例は、CSIプロセスの構成をシグナリングするために様々な技術を利用する。一例として、或る例示的な実施例は、同じ周期的及び／又は非周期的なCQI報告が複数のCSIプロセスについて構成されることを可能にする。他の例として、特定のCSIプロセス構成を示すために識別子を使用する例示的な実施例は、一般的にそうでない場合より低いCSIプロセス構成のオーバーヘッドを有する。
【００４１】
CSIプロセス構成の特定の実装の例示的な実施例の仕様について、追記を参照されたい。
【００４２】
各CSIプロセスは、サブフレームセットを用いて又は用いずに構成されてもよい。以下を含み、サブフレームセットを構成するための複数の選択肢が存在し得る。
【００４３】
・サブフレームセットの構成は、各CSIプロセスのCQI報告構成に含まれる。
【００４４】
・サブフレームセットの構成は、各CSIプロセスIEに含まれる。
【００４５】
・サブフレームがコンポーネントキャリアの１つより多くのCSIプロセスについて構成される場合、構成されたサブフレームセットを有する全てのCSIプロセスは、同じサブフレームセットの対を使用するべきである。
【００４６】
従って、共通のサブフレームセット構成IEがキャリアにおいて規定されてもよく、共通のサブフレームセット構成IEがCSIプロセスIEにより規定されたCSIプロセスに適用するか否かを示すために、インジケータが各CSIプロセスIEと共に含まれる。使用され得る１つの技術は、前述のように使用されるCQI報告構成IEを使用して、共通のサブフレームセット構成IEを規定することである。キャリアアグリゲーション（CA：carrier  aggregation）が使用される場合、現在制限されたサブフレームセットは、プライマリコンポーネントキャリア（PCC：primary  component  carrier）のみに適用し、セカンダリコンポーネントキャリア（SCC：secondary  component  carrier）に影響を及ぼさない。従って、サブフレームセット制限がSCCに拡張する場合、共通のサブフレームセット構成IEは、SCellのCQO報告構成（“CQI-ReportConfigSCell”）に規定されてもよい。他の技術は、別々のIE（例えば、所与のキャリアにおけるCSIサブフレームパターン構成IE）を規定することでもよい。
【００４７】
電力は、CSIプロセス構成における他の検討事項である。CSIプロセス構成に関して、電力オフセット（“Pc”）は、典型的には、参照信号と、CSIフィードバックを生成するために使用される物理下りリンク共有チャネル（PDSCH：physical  downlink  shared  channel）との間の電力オフセットを示す。Pcは、NZP  CSI-RSリソース毎又はCSIプロセス毎に規定されてもよい。更に、eICIC（enhanced  intercell  interference  coordination）が使用される場合、２つの異なるサブセット（例えば、CSIプロセスについて構成された時間周波数サブセット）が存在してもよく、これらのサブセットのPcの値は異なってもよい。異なる仮定に応じて複数の異なる方法でPcを構成することが可能になり得る。
【００４８】
構成されたNZP  CSI-RSリソース毎にPcが規定されることを仮定すると、異なるCSIプロセスのPcの値は異なってもよい。この理由は、CSIプロセスは、異なるCoMP処理技術（例えば、ダイナミックポイント選択（DPS：dynamic  point  selection）、ダイナミックポイントブランキング（DPB：dynamic  point  blanking）、ジョイント送信（JT：joint  transmission）等）を評価するために使用されるからである。従って、NZP  CSI-RSリソースに規定されたPcは、CSIプロセスの実際のPcを反映することができなくてもよい。
【００４９】
例示的な実施例によれば、サブフレームセットがCSIプロセスについて構成されていない場合、Pcは、CSIプロセスの対応するオフセットを示すためにCSIプロセスIE毎に構成される。そうでない場合、更なるPcオフセット（例えば、Pcオフセット1又はPc1）が構成され、元のPc（例えば、Pc）は、サブフレームセット1に使用され、更なるPcオフセット（例えば、Pcオフセット1又はPc1）は、サブフレームセット2に使用される。換言すると、２つのPc（例えば、Pcオフセット1及びPcオフセット2）がCSIプロセス毎に構成され、第１のPcはサブフレームセット1に使用され、第２のPcはサブフレームセット2に使用される。
【００５０】
他の例示的な実施例によれば、各Pc識別子がPc構成IEに関連付けて、Pc識別子がCSIプロセスIE毎に構成される。サブフレームセットがCSIプロセスについて構成されない場合、関連するPc構成IEは１つのPcを含む。サブフレームセットがCSIプロセスについて構成される場合、関連するPc構成IEは２つのPcを含み、第１のPcはサブフレームセット1に関連し、第２のPcはサブフレームセット2に関連する。Pc構成IEのリストが構成されてもよく、Pc構成IEの最大数は、CSIプロセスの数に等しくてもよい。CSIプロセスの実際のPcの値は、（CSIプロセスの）NZP  CSI-RSに関連するPcに、対応するPcオフセットを加えたものに等しくてもよい。
【００５１】
例示的な実施例によれば、構成されたCSIプロセス毎にPcが規定される場合、Pcは、サブフレームセットがCSIプロセスについて構成されない場合には、CSIプロセスIE毎に構成される。サブフレームセットがCSIプロセスについて構成された場合、更なるPcが規定されてもよく、Pcはサブフレームセット1に使用されてもよく、更なるPcはサブフレームセット2に使用されてもよい。換言すると、サブフレームセットが構成されるときに、２つのPcはCSIプロセスIE毎に構成され、第１のPcはサブフレームセット1に使用され、第２のPcはサブフレームセット2に使用される。
【００５２】
別の例示的な実施例によれば、構成されたCSIプロセス毎にPcが規定される場合、各Pc識別子がPc構成IEに関連付けて、Pc識別子はCSIプロセスIE毎に構成される。関連するPc構成IEが１つのPcを含む場合、CSIプロセスについてサブフレームセットは構成されない。関連するPc構成IEが２つのPcを含む場合、サブフレームセットは、CSIプロセスについて構成され、第１のPcはサブフレームセット1に関連し、第２のPcはサブフレームセット2に関連する。Pc構成IEのリストが構成されてもよく、Pc構成IEの最大数は、CSIプロセスの数に等しくてもよい。
【００５３】
複数キャリアの構成（CoMP+CA）の状況では、非周期的なCQIフィードバックの構成は、プライマリセル（PCell）及びセカンダリセル（SCell）で異なってもよい。従って、PCell及びSCellのCQI報告構成も異なる。トリガービットは、CCを示すBit1（ビットマップ）と、報告CQIプロセスを示すBit2（ビットマップ）とを含む。
【００５４】
図８は、第１の通信デバイス800を示している。通信デバイス800は、eNB、アクセスポイント、通信コントローラ、基地局等のようなデバイスの実装でもよく、CSIプロセスを構成するタスクを有するネットワークエンティティでもよい。通信デバイス800は、ここに記載の様々な実施例を実現するために使用されてもよい。図８に示すように、送信機805は、パケット、CSIプロセス構成についての情報等を送信するように構成される。通信デバイス800はまた、パケット、CQI報告等を受信するように構成された受信機810を含む。
【００５５】
CSIプロセス構成ユニット820は、受信デバイスのCSIプロセスを指定するように構成される。CSIプロセス構成ユニット820は、CSIプロセス識別子、NZP  CSI-RSリソース識別子、IMR識別子、CQI報告構成、CQI報告構成IE、Pc等を指定するように構成される。情報生成ユニット822は、構成されたCSIプロセスについての情報を生成するように構成される。情報生成ユニット822は、受信デバイスに送信するメッセージを生成するように構成される。CQI報告処理ユニット824は、受信デバイスから受信したCQI報告を処理し、CQI報告からチャネル品質又はチャネル状態情報を決定するように構成される。メモリ830は、データ、CSIプロセスIE、CSIプロセス構成、CSI報告構成IE、識別子、CQI報告、チャネル品質又は状態情報等を格納するように構成される。
【００５６】
通信デバイス800の要素は、特定のハードウェア論理ブロックとして実装されてもよい。或いは、通信デバイス800の要素は、プロセッサ、コントローラ、特定用途向け集積回路等で実行するソフトウェアとして実装されてもよい。更に他の別法では、通信デバイス800の要素は、ソフトウェア及び／又はハードウェアの組み合わせとして実装されてもよい。
【００５７】
一例として、受信機810及び送信機805は、特定のハードウェアブロックとして実装されてもよく、CSIプロセス構成ユニット820、情報生成ユニット822及びCQI報告処理ユニット824は、マイクロプロセッサ（プロセッサ815等）又はカスタム回路若しくはフィールドプログラマブルゲートアレイのカスタムコンパイル済み論理アレイで実行するソフトウェアモジュールでもよい。CSIプロセス構成ユニット820、情報生成ユニット822及びCQI報告処理ユニット824は、メモリ830に格納されたモジュールでもよい。
【００５８】
図９は、第２の通信デバイス900を示している。通信デバイス900は、eNB、アクセスポイント、通信コントローラ、基地局等のような受信デバイスの実装でもよく、UE、モバイル、移動局、端末、ユーザ、加入者等でもよい。通信デバイス900は、ここに記載の様々な実施例を実現するために使用されてもよい。図９に示すように、送信機805は、パケット、CSI報告等を送信するように構成される。通信デバイス900はまた、パケット、CQIプロセス構成についての情報等を受信するように構成された受信機910を含む。
【００５９】
情報処理ユニット920は、受信デバイスのCSIプロセスの構成を決定するために、CSIプロセス構成についての情報を処理するように構成される。測定ユニット922は、CSIプロセス構成についての情報により提供されるNZP  CSI-RSリソースを使用して通信チャネルを測定し、IMRを使用して干渉を測定するように構成される。測定ユニット922は、必要に応じてPcの値に従って電力調整を行うように構成される。報告ユニット924は、測定ユニット922により行われた測定からCQI報告を生成するように構成される。報告ユニット924は、CQI報告構成情報又はIEに従ってCQI報告を含むメッセージを生成するように構成される。メモリ930は、データ、CSIプロセスIE、CSIプロセスについての情報、CSI報告構成IE、識別子、CQI報告、チャネル品質又は状態測定等を格納するように構成される。
【００６０】
通信デバイス900の要素は、特定のハードウェア論理ブロックとして実装されてもよい。或いは、通信デバイス900の要素は、プロセッサ、コントローラ、特定用途向け集積回路等で実行するソフトウェアとして実装されてもよい。更に他の別法では、通信デバイス900の要素は、ソフトウェア及び／又はハードウェアの組み合わせとして実装されてもよい。
【００６１】
一例として、受信機910及び送信機905は、特定のハードウェアブロックとして実装されてもよく、情報処理ユニット920、測定ユニット922及び報告ユニット924は、マイクロプロセッサ（プロセッサ915等）又はカスタム回路若しくはフィールドプログラマブルゲートアレイのカスタムコンパイル済み論理アレイで実行するソフトウェアモジュールでもよい。情報処理ユニット920、測定ユニット922及び報告ユニット924は、メモリ930に格納されたモジュールでもよい。
【００６２】
この開示及びその利点について詳細に説明したが、特許請求の範囲に記載の開示の要旨及び範囲を逸脱することなく、様々な変更、置換及び代替が行われてもよいことが分かる。
【００６３】
＜追記−CSIプロセス構成＞
PhysicalConfigDedicated情報要素
【００６４】
【表１】
2015534396.tif 000003
【表２】
2015534396.tif 000004
【表３】
2015534396.tif 000005
【表４】
2015534396.tif 000006
【００６５】
【表５】
2015534396.tif 000007
-IMR-Config
IMR-ConfigのIEは、送信モード10を使用するときに干渉及び雑音を測定するためにサービング周波数で構成され得るCSI-RSリソース構成である。
【００６６】
IMR-Config情報要素
【００６７】
【表６】
2015534396.tif 000008
注：IMRは４つのREで構成されるため、全体で16個の構成が存在する。
【００６８】
【表７】
2015534396.tif 000009
-IMR-Id
IMR-IdのIEは、IMR-ConfigのIEにより構成されるIMRリソース構成を識別するために使用される。識別情報は、キャリア周波数の範囲内で固有である。
【００６９】
IMR-Id情報要素
【００７０】
【表８】
2015534396.tif 000010
-CQI-ReportConfig
CQI-ReportConfigのIEは、CQI報告構成を指定するために使用される。
【００７１】
CQI-ReportConfig情報要素
【００７２】
【表９】
2015534396.tif 000011
【表１０】
2015534396.tif 000012
【表１１】
2015534396.tif 000013
-CQI-ReportConfig-Id
CQI-ReportConfig-IdのIEは、CQI-ReportConfigのIEにより構成されるCQI報告構成を識別するために使用される。識別情報は、キャリア周波数の範囲内で固有である。
【００７３】
IMR-ID情報要素
【００７４】
【表１２】
2015534396.tif 000014
-CSI-Process-Config
CSI-Process-ConfigのIEは、送信モード10を使用するときにE-UTRANがサービング周波数で構成し得るCSIフィードバック構成である。
【００７５】
CSI-Process-Config情報要素
【００７６】
【表１３】
2015534396.tif 000015
-CSI-Process-Id
CSI-Process-IdのIEは、CSI-Process-ConfigのIEにより構成されるCSIプロセスを識別するために使用される。識別情報は、キャリア周波数の範囲内で固有である。
【００７７】
CSI-Process-Id情報要素
【００７８】
【表１４】
2015534396.tif 000016
6.4  RRC多重度（multiplicity）及びタイプ制約の値
-多重度及びタイプ制約の規定
【００７９】
【表１５】
2015534396.tif 000017
【表１６】
2015534396.tif 000018
【表１７】
2015534396.tif 000019
注：maxDRBの値はSA2と一致する。
【００８０】
-EUTRA-RRC-Definitionsの終わり
【００８１】
【表１８】
2015534396.tif 000020
【図１】
2015534396.tif 000021
【図２】
2015534396.tif 000022
【図３】
2015534396.tif 000023
【図４】
2015534396.tif 000024
【図５ａ】
2015534396.tif 000025
【図５ｂ】
2015534396.tif 000026
【図６】
2015534396.tif 000027
【図７ａ】
2015534396.tif 000028
【図７ｂ】
2015534396.tif 000029
【図７ｃ】
2015534396.tif 000030
【図７ｄ】
2015534396.tif 000031
【図８】
2015534396.tif 000032
【図９】
2015534396.tif 000033
【手続補正書】
【提出日】平成27年5月8日(2015.5.8)
【手続補正１】
【補正対象書類名】明細書
【補正対象項目名】全文
【補正方法】変更
【補正の内容】
【発明の詳細な説明】
【技術分野】
【０００１】
この出願は、2013年9月27日に“System  and  Method  for  Configuring  Channel  State  Information  in  a  Communications  System”という題で出願された米国非仮出願第14/040,306号及び2012年9月27日に“System  and  Method  for  Channel  State  Information  Configuration”という題で出願された米国仮出願第61/706,610号の利益を主張し、これらの出願を援用する。
【０００２】
この開示は、概してデジタル通信に関し、特に通信システムにおいてチャネル状態情報を構成（設定）するシステム及び方法に関する。
【背景技術】
【０００３】
概して、3GPP（Third  Generation  Partnership  Project）LTE（Long  Term  Evolution）のリリース11（Rel-11）に準拠したチャネル状態情報（CSI：channel  state  information）プロセスは、新たな送信モードTM10に対処するために、CSIフィードバック機構を提供する。3GPP  LTEの以前のリリースのCSIプロセスと比べて、Rel-11では、単一のキャリアにおいて複数のCSIプロセスが同時に構成され得る。Rel-11のCSIプロセスは、“非ゼロ電力（NZP：non-zero  power）CSI参照シンボル（CSI-RS：CSI  reference  symbol）リソースと干渉測定リソース（IMR：interference  measurement  resource）との組み合わせであり、所与のCSIプロセスは周期的及び／又は非周期的な報告により使用され得る”として記載されている。従って、CSIプロセス構成自体が、下りリンク協調マルチポイント（CoMP：coordinated  multiple  point）動作のための無線リソース制御（RRC：radio  resource  control）パラメータのほとんどを含む。
【発明の概要】
【発明が解決しようとする課題】
【０００４】
この開示の例示的な実施例は、通信システムにおいてチャネル状態情報を構成するシステム及び方法を提供する。
【課題を解決するための手段】
【０００５】
この開示の例示的な実施例によれば、無線通信システムにおいて通信する方法が提供される。この方法は、デバイスにより、チャネル状態情報（CSI：channel  state  information）プロセス識別子と、非ゼロ電力CSI参照信号（CSI-RS：CSI  reference  signal）識別子と、干渉測定リソース（IMR：interference  measurement  resource）識別子と、チャネル品質インジケータ（CQI：channel  quality  indicator）報告構成情報とを含むCSIプロセス情報要素（IE：information  element）を生成することを含む。この方法はまた、デバイスにより、CSIプロセスIEを送信することを含む。
【０００６】
この開示の他の例示的な実施例によれば、無線通信システムにおいて通信する方法が提供される。この方法は、受信デバイスにより、チャネル状態情報（CSI：channel  state  information）プロセス識別子と、非ゼロ電力CSI参照信号（CSI-RS：CSI  reference  signal）識別子と、干渉測定リソース（IMR：interference  measurement  resource）識別子と、チャネル品質インジケータ（CQI：channel  quality  indicator）報告構成情報とを含むCSIプロセス情報要素（IE：information  element）を受信することを含む。この方法はまた、デバイスにより、CSIプロセスIEを処理することを含む。
【０００７】
この開示の他の例示的な実施例によれば、デバイスが提供される。このデバイスは、プロセッサと、プロセッサに動作可能に結合された送信機とを含む。プロセッサは、チャネル状態情報（CSI：channel  state  information）プロセス識別子と、非ゼロ電力CSI参照信号（CSI-RS：CSI  reference  signal）識別子と、干渉測定リソース（IMR：interference  measurement  resource）識別子と、チャネル品質インジケータ（CQI：channel  quality  indicator）報告構成情報とを含むCSIプロセス情報要素（IE：information  element）を生成する。送信機は、CSIプロセスIEを送信する。
【０００８】
この開示の他の例示的な実施例によれば、受信デバイスが提供される。この受信デバイスは、受信機と、受信機に動作可能に結合されたプロセッサとを含む。受信機は、チャネル状態情報（CSI：channel  state  information）プロセス識別子と、非ゼロ電力CSI参照信号（CSI-RS：CSI  reference  signal）識別子と、干渉測定リソース（IMR：interference  measurement  resource）識別子と、チャネル品質インジケータ（CQI：channel  quality  indicator）報告構成情報とを含むCSIプロセス情報要素（IE：information  element）を受信する。プロセッサは、CSIプロセスIEで動作する。
【０００９】
実施例の１つの利点は、複数のCSIプロセスが単一のキャリアについて構成され得る点であり、受信デバイスが複数の送信ポイントからのチャネルのチャネル品質を測定することを可能にする。
【００１０】
実施例の更なる利点は、複数のCSIプロセスがそれぞれの識別子に従って参照される点であり、これは、シグナリングオーバーヘッドを低減するのに役立つ。
【図面の簡単な説明】
【００１１】
【図１】ここに記載の例示的な実施例による例示的な通信システム
【図２】ここに記載の例示的な実施例に従って第１のデバイスと第２のデバイスとの間で交換されるメッセージを強調した例示的なメッセージ交換図
【図３】ここに記載の例示的な実施例による通信システムにおける例示的なCoMP送信の図
【図４】ここに記載の例示的な実施例に従ってデバイスが受信デバイスのCSIプロセスを構成するときにデバイスにて生じる動作の例示的なフローチャート
【図５ａ】ここに記載の例示的な実施例に従って個々にシグナリングされるCSIプロセス毎の情報でデバイスが受信デバイスのCSIプロセスを構成するときにデバイスにて生じる動作の例示的なフローチャート
【図５ｂ】ここに記載の例示的な実施例に従って一緒にシグナリングされる単一の受信デバイスのCSIプロセスの情報でデバイスが受信デバイスのCSIプロセスを構成するときにデバイスにて生じる動作の例示的なフローチャート
【図６】ここに記載の例示的な実施例に従って受信デバイスがCSI報告を実行するときに受信デバイスにて生じる動作の例示的なフローチャート
【図７ａ】ここに記載の例示的な実施例に従ってCSIプロセスについての情報を送信するために使用される第１の例示的なIE
【図７ｂ】ここに記載の例示的な実施例に従ってCSIプロセスについての情報を送信するために使用される第２の例示的なIE
【図７ｃ】ここに記載の例示的な実施例に従ってCSIプロセスについての情報を送信するために使用される第３の例示的なIE
【図７ｄ】ここに記載の例示的な実施例に従ってCSIプロセスについての情報を送信するために使用される第４の例示的なIE
【図８】ここに記載の例示的な実施例による例示的な第１の通信デバイス
【図９】ここに記載の例示的な実施例による例示的な第２の通信デバイス
【発明を実施するための形態】
【００１２】
この開示及びその利点の更に完全な理解のため、添付図面を考慮して以下の説明に言及が行われる。
【００１３】
この例示的な実施例の動作及びその構成について以下に詳細に説明する。しかし、この開示は、広範囲の特定の状況に具現され得る多くの適用可能な発明の概念を提供することが分かる。説明する特定の実施例は、この開示の特定の構成及びこの開示を動作させる方法の単なる例であり、この開示の範囲を限定するものではない。
【００１４】
この開示の一実施例は、通信システムにおいてチャネル状態情報を構成することに関する。例えば、デバイスは、CSIプロセス識別子と、非ゼロ電力CSI参照信号（CSI-RS）識別子と、干渉測定リソース（IMR）識別子と、チャネル品質インジケータ（CQI）報告構成情報とを含むCSIプロセスIEを送信する。他の例として、受信デバイスは、CSIプロセス識別子と、非ゼロ電力CSI参照信号（CSI-RS）識別子と、干渉測定リソース（IMR）識別子と、チャネル品質インジケータ（CQI）報告構成情報とを含むCSIプロセスIEを受信する。
【００１５】
この開示は、特定の状況における例示的な実施例（すなわち、単一のキャリアについて複数のCSIプロセスをサポートする3GPP（Third  Generation  Partnership  Project）LTE（Long  Term  Evolution）に準拠した通信システム）に関して説明する。しかし、この開示はまた、単一のキャリアについて複数のCSIプロセスをサポートする他の標準に準拠した通信システム及び非標準の通信システムにも適用され得る。
【００１６】
図１は、通信システム100を示している。通信システム100は、UE110-116のような複数のユーザ装置（UE：user  equipment）にサービス提供するeNB105及びeNB107を含む複数のeNB（evolved  NodeB）を含む。eNBはまた、NodeB、基地局、通信コントローラ等とも呼ばれることがあり、UEはまた、移動局、モバイル、端末、ユーザ、加入者等と呼ばれることがある。一般的に、UEへの送信又はUEからの送信は、そのサービングeNBによりUEに割り当てられたネットワークリソースで生じる。通信システムは複数のUEと通信することができる複数のeNBを使用してもよいことが分かるが、簡潔にするために、２つのみのeNB及び複数のUEが示されている。
【００１７】
良好な性能を実現し、通信の効率を増加させるために、送信及び／又は受信するデバイス（eNB及びUE、並びにサポートする通信に関与するもの）は、送信及び／又は受信するために使用される通信チャネルの品質又は状態を知る必要があり得る。典型的には、第１のデバイスは、第２のデバイスから受信した送信に基づいて、入来方向における自身と第２のデバイスとの間の通信チャネルの品質を測定することができてもよい。換言すると、第１のデバイスは、第２のデバイスから始まり第１のデバイスで終わる第１の一方向の通信チャネルの品質又は状態の測定を実行することができてもよい。しかし、第１のデバイスで始まり第２のデバイスで終わる第２の一方向の通信チャネルの品質又は状態を測定することは容易ではないことがある。時分割双方向の通信チャネルでは、第１の一方向の通信チャネルの品質又は状態から第２の一方向の通信チャネルの品質又は状態を導くために、チャネル相互関係が使用されてもよい。しかし、チャネル相互関係は、周波数分割多重通信チャネルで使用される場合、又は反対方向に進む対応する一方向の通信チャネルが存在しない場合、良好な結果を提供しない。
【００１８】
周波数分割多重通信チャネルでは、一般的に使用される技術は、第２のデバイスに対して、第１のデバイスにより行われた送信に基づいて第２の一方向の通信チャネルの品質又は状態を測定させ、第２の一方向の通信チャネルの測定品質又は測定状態を第１のデバイスに報告させることである。通信チャネルの品質又は状態はCSIと呼ばれ、この技術は、一般的にCSI報告と呼ばれる。
【００１９】
図２は、第１のデバイス205と第２のデバイスとの間で交換されるメッセージを強調したメッセージ交換図200を示している。メッセージ交換図200は、第２のデバイス210が第１のデバイス205と第２のデバイス210との間の一方向の通信チャネルのCSIを測定して報告するときに、第１のデバイス205と第２のデバイス210との間で交換されるメッセージを強調している。
【００２０】
第１のデバイス205は、（イベント215に示すように）構成情報（又はその識別情報）を第２のデバイス210に送信することにより、第２のデバイス210におけるCSI動作を構成してもよい。例示的な例として、構成情報は、第２のデバイス210が一方向のチャネルのCSIを決定するために測定する指定の時間周波数リソース、どの信号を第１のデバイス205が指定の時間周波数リソースで送信するか、いつ第２のデバイス210がCSIを報告するか、どのくらいの長さだけ第２のデバイス210がCSI動作を続けるか等を含んでもよい。第１のデバイス205は、（イベント220に示すように）測定目的のために指定の時間周波数リソースで信号を送信してもよい。
【００２１】
第２のデバイス210は、（イベント225に示すように）指定の時間周波数リソースで信号を測定し、測定に従ってチャネル品質インジケータ（CQI）を生成してもよい。CQIは、CSIの量子化された表現と考えられてもよい。第２のデバイス210は、（イベント230に示すように）構成情報に従ってCQIを第１のデバイス205に報告してもよい。図２の説明は、第２のデバイス210によるCQIの報告に焦点を当てているが、第２のデバイス210は、生の測定、量子化されていないCSI、CSIの変換、CSIの数学関数等を含み、様々な形式でCSIを報告してもよい。
【００２２】
協調マルチポイント（CoMP）動作は、リソース利用、ダイバーシチ利得、通信システムの性能等を改善するために複数の送信ポイント（例えば、eNB、マクロセル、ピコセル、リモートアンテナ、リモート無線ヘッド（RRH：remote  radio  head）等）が単一の受信ポイント（例えば、UE、eNB等）に送信することを可能にする3GPP  LTE技術標準に対する比較的新たな追加である。説明目的で、CoMP送信について詳細に説明する。しかし、例示的な実施例はまた、CoMP受信でも動作可能である。従って、CoMP送信に焦点を当てることは、例示的な実施例の範囲又は要旨を限定するものとして解釈されるべきではない。
【００２３】
図３は、通信システム300におけるCoMP送信を示している。図３に示すように、通信システム300は、３つの送信ポイント（送信ポイント305、送信ポイント307及び送信ポイント309）とUE320とを含む。単一の送信ポイントからの送信を受信するだけより大きい通信効率を潜在的に実現するために、３つの送信ポイントはUE320に送信し、UE320は、３つの送信ポイントからの送信を結合する。
【００２４】
前述のように、良好な通信性能を取得するために、３つの送信ポイントは、自身とUE320との間の通信チャネルの品質又は状態を認識する必要があり得る。UE320は、３つの送信ポイントのそれぞれにより行われた送信の別々の測定を行い、CSIを３つの送信ポイントに報告してもよい。
【００２５】
例示的な実施例によれば、3GPP  LTEのリリース11での単一のキャリアにおいて複数のCSIプロセスの同時構成についてのサポートは、通信システムにおけるCoMP送信の効率的な実現を可能にし得る。デバイス（すなわち、３つの送信ポイントのうち１つ、３つの送信ポイントのうち１つのコントローラ、CSIを構成するタスクを有する通信システムのエンティティ等）は、受信ポイント（例えばUE320）に対して、適切な数のCSIプロセス（この例では３つ）を初期化し、複数の送信ポイント（例えば、３つの送信ポイント）から受信ポイント（例えば、UE320）への通信チャネルを測定するように構成してもよい。
【００２６】
送信ポイントが複数の受信ポイントに送信するCoMP受信の事例では、デバイス（すなわち、送信ポイント、送信ポイントのコントローラ、CSIを構成するタスクを有する通信システムのエンティティ等）は、受信ポイントのそれぞれに対して、適切な数のCSIプロセスを初期化し、送信ポイントから受信ポイントのそれぞれへの通信チャネルを測定するように構成してもよい点に留意すべきである。複数の受信ポイントが関与するため、デバイスは、それぞれの受信ポイントを別々に構成してもよい。しかし、CSI構成情報を全ての受信ポイントにブロードキャストすることも可能になり得る。
【００２７】
例示的な実施例によれば、3GPP  LTEのリリース11のCSIプロセスの特徴（複数のCSIプロセスがキャリアについて同時に構成され得ること、NZPリソースとIMRとの組み合わせを含む）を利用して、CSI構成が提示される。CSI構成の第１の部分は、所与のE-UTRAN（evolved  Universal  Mobile  Telecommunications  System  (UMTS)  Terrestrial  Radio  Access  Network）キャリアにおける対応するCSI処理を識別するために使用され得るCSIプロセス識別子（CSI  ID）を含む。CSI構成の第２の部分は、NZP  CSI-RS及びIMRを含むCSI測定部分（すなわち、CSI測定に使用されるリソース）を含む。CSI構成の第３の部分は、例えば、周期的及び／又は非周期的な報告のための報告（レポート）構成を含む。CSIプロセスはキャリア毎に構成されるため、CSIプロセスの要素（部分）もキャリア毎に構成されることが合理的である点に留意すべきである。CSIプロセスは、eNB、UE等のような3GPP  LTEに準拠した通信システム及びデバイスに実現されてもよい。
【００２８】
図４は、デバイスが受信デバイスのCSIプロセスを構成するときにデバイスにて生じる動作400のフローチャートを示している。動作400は、デバイスが受信デバイス（UE又はeNB等）のCSIプロセスを構成するときにデバイス（eNB、eNBのコントローラ、UE等）で生じる動作を示してもよい。
【００２９】
動作400は、デバイスが受信デバイス（UE、eNB又はUEとeNBとの組み合わせ等）のCSIプロセスを構成することで始まってもよい（ブロック405）。例示的な実施例によれば、デバイスは、受信デバイス毎に別々にCSIプロセスを構成してもよい。換言すると、デバイスは、第１の受信デバイスのCSIプロセスを構成し、第２の受信デバイスのCSIプロセスを構成する等を行ってもよい。デバイスは、構成されたCSIプロセスについての情報を生成してもよい（ブロック407）。一例として、デバイスは、CSIプロセス情報要素（IE）を生成してもよい。デバイスは、構成されたCSIプロセスについての情報（例えば、CSIプロセスIE）を受信デバイスに送信してもよい（ブロック410）。例示的な実施例によれば、デバイスは、無線リソース制御（RRC：radio  resource  control）メッセージを使用して、構成されたCSIプロセスについての情報をそれぞれ個々の受信デバイスに送信してもよく、RRCメッセージは、個々の受信デバイスの構成されたCSIプロセスについての全ての情報を含んでもよい。或いは、複数のRRCメッセージがデバイスによりそれぞれ個々の受信デバイスに送信されてもよく、それぞれのRRCメッセージは単一の構成されたCSIプロセスについての情報を含んでもよい。デバイスは、構成されたCSIプロセスについての情報に従って、受信デバイスからCQI（又は他の形式のチャネル品質若しくはチャネル状態についての情報）を受信してもよい。
【００３０】
図５ａは、個々にシグナリングされるCSIプロセス毎の情報でデバイスが受信デバイスのCSIプロセスを構成するときにデバイスにて生じる動作500のフローチャートを示している。デバイスは、受信デバイスのCSIプロセスを構成し（ブロック505）、CSIプロセスのCSIプロセスIEを生成してもよい。デバイスは、個々のCSIプロセス毎の情報（すなわち、CSIプロセスIE）を受信デバイスに送信してもよい（ブロック510）。デバイスは、CSIプロセスの情報に従って、受信デバイスからCQI（又は他の形式のチャネル品質若しくはチャネル状態についての情報）を受信してもよい（ブロック515）。
【００３１】
図５ｂは、一緒にシグナリングされる単一の受信デバイスのCSIプロセスの情報でデバイスが受信デバイスのCSIプロセスを構成するときにデバイスにて生じる動作550のフローチャートを示している。デバイスは、受信デバイスのCSIプロセスを構成し（ブロック555）、CSIプロセスのCSIプロセスIEを生成してもよい。デバイスは、単一のメッセージで単一の受信デバイスのCSIプロセスの情報（すなわち、CSIプロセスIE）を受信デバイスに送信してもよい（ブロック560）。デバイスは、CSIプロセスの情報に従って、受信デバイスからCQI（又は他の形式のチャネル品質若しくはチャネル状態）を受信してもよい（ブロック565）。
【００３２】
図６は、受信デバイスがCSI報告を実行するときに受信デバイスにて生じる動作600のフローチャートを示している。動作600は、受信デバイスがCSI報告を実行するときに受信デバイス（UE又はeNB等）にて生じる動作を示してもよい。
【００３３】
動作600は、受信デバイスが受信デバイスについて構成されたCSIプロセスについての情報（すなわち、CSIプロセスIE）を受信することで始まってもよい（ブロック605）。複数のCSIプロセスが受信デバイスについて構成される場合、受信デバイスは、CSIについての情報を含む単一のメッセージを受信してもよく、個々のCSIプロセスについての情報を含む複数のメッセージを受信してもよい。受信デバイスは、CSIプロセスについての情報に従って通信チャネルを測定してもよい（ブロック610）。例示的な実施例によれば、通信チャネルを測定することは、受信デバイスがCSIプロセス毎にNZP  CSI-RSリソースを使用して信号強度を測定すること、及びCSIプロセス毎にIMRを使用して干渉を測定することを含んでもよい（ブロック620）。
【００３４】
受信デバイスは、測定に対して電力調整を行ってもよい（ブロック625）。電力調整の詳細な説明は以下に提示される。受信デバイスは、CQI報告を生成し（ブロック630）、例えばCQI（又は他の形式のチャネル品質若しくはチャネル状態についての情報）の形式で、CSIプロセスについての情報に従ってCQI報告を送信してもよい（ブロック635）。例示的な例として、CSI報告についての情報は、いつ受信デバイスがCSI報告を送信するか（時間、周期、頻度、イベントの受信（例えば、送信トリガー等）等）を指定してもよい。ブロック615〜630は、受信デバイスによるCSIプロセスIEの処理であると考えられてもよい。
【００３５】
前述のように、CSIプロセスについての情報は、デバイスにより受信デバイスに送信されてもよい。一般的に、CSIプロセスについての情報は、RRCメッセージのような高レイヤのメッセージで送信されてもよい。しかし、CSIプロセスについての情報をブロードキャストすることも可能でもよい。
【００３６】
図７ａは、CSIプロセスについての情報を送信するために使用される第１の例示的なIE700を示している。IE700は、CSIプロセスIEの例でもよく、デバイスにより送信されてもよい。IE700は、対応するCSIプロセスを識別するために使用され得るCSIプロセス識別子705と、NZP  CSI-RSリソースのリストからCSI報告のために測定されるリソースを識別するために使用され得るNZP  CSI-RS識別子707と、IMRのリストから干渉を測定するために使用される比を識別するために使用され得るIMR識別子709と、可能なCQI報告構成のリストから報告構成（すなわち、報告が周期的であるか非周期的であるか、及び報告時間、報告周期、報告頻度、報告イベント等のパラメータ）を識別するために使用され得るCQI報告構成識別子711とを含んでもよい。CQI報告構成識別子711は、CSIプロセスの可能なCQI報告構成のリストを含むCQI報告構成IEに関連してもよい。CQI報告構成識別子711の使用は、CQI報告がCSIプロセスを通じて独立して構成されることを可能にし得る。同様に、CSIプロセスは、対応するCQI報告構成IEが所望の通り周期的及び／又は非周期的な報告構成を含み得るため、周期的及び／又は非周期的な報告で構成されてもよい。
【００３７】
図７ｂは、CSIプロセスについての情報を送信するために使用される第２の例示的なIE720を示している。異なるCSIプロセスが同じ非周期的な報告構成を有するが、異なる周期的な報告構成を有することも可能であり、その逆も同様である。構成のオーバーヘッドを低減するのに役立ち得る更なる拡張は、CQIの非周期的な報告構成とCQIの周期的な報告構成とで別々の識別子を有することである。IE720は、対応するCSIプロセスを識別するために使用され得るCSIプロセス識別子725と、NZP  CSI-RSリソースのリストからCSI報告のために測定されるリソースを識別するために使用され得るNZP  CSI-RS識別子727と、IMRのリストから干渉を測定するために使用されるリソースを識別するために使用され得るIMR識別子729と、CQIの非周期的な報告に使用される可能な非周期的なCQI報告構成のリストから非周期的なCQI報告構成を識別するために使用され得るCQI非周期的報告構成識別子731と、CQIの周期的な報告に使用される可能な周期的なCQI報告構成のリストから周期的なCQI報告構成を識別するために使用され得るCQI周期的報告構成識別子733とを含んでもよい。
【００３８】
図７ｃは、CSIプロセスについての情報を送信するために使用される第３の例示的なIE740を示している。IE740は、対応するCSIプロセスを識別するために使用され得るCSIプロセス識別子745と、NZP  CSI-RSリソースのリストからCSI報告のために測定されるリソースを識別するために使用され得るNZP  CSI-RS識別子747と、IMRのリストから干渉を測定するために使用されるリソースを識別するために使用され得るIMR識別子749と、CQI報告構成に関する情報（例えば、非周期的及び／又は非周期的、周期、頻度、イベント、時間等）を伝達するために使用され得るCQI報告構成IE751とを含んでもよい。特定のCQI報告構成に関連付けるために識別子を使用するのではなく、IE740は、CQI報告構成IE751で使用されるCQI報告構成を含む。
【００３９】
図７ｄは、CSIプロセスについての情報を送信するために使用される第４の例示的なIE760を示している。CSIプロセスIEで構成される代わりに、CQI報告構成IEが使用されてもよい。IE760は、CQI報告構成IEであり、CQI報告構成IEが適用される対応するCSIプロセスを識別するために使用され得るCSIプロセス識別子765と、NZP  CSI-RSリソースのリストからCSI報告のために測定されるリソースを識別するために使用され得るNZP  CSI-RS識別子767と、IMRのリストから干渉を測定するために使用されるリソースを識別するために使用され得るIMR識別子769と、測定報告に関する他のパラメータとを含んでもよい。測定報告に関する他のパラメータの例は、CQI報告構成情報（非周期的及び／又は周期的な性質、周期、頻度、イベント、時間等）を含む。IE760の変形は、CQI報告構成IEが適用される対応するCSIプロセスを識別するために使用され得るCSIプロセス識別子765と、測定報告に関する他のパラメータとを含んでもよい。
【００４０】
ここに記載の例示的な実施例は、CSIプロセスの構成をシグナリングするために様々な技術を利用する。一例として、或る例示的な実施例は、同じ周期的及び／又は非周期的なCQI報告が複数のCSIプロセスについて構成されることを可能にする。他の例として、特定のCSIプロセス構成を示すために識別子を使用する例示的な実施例は、一般的にそうでない場合より低いCSIプロセス構成のオーバーヘッドを有する。
【００４１】
CSIプロセス構成の特定の実装の例示的な実施例の仕様について、追記を参照されたい。
【００４２】
各CSIプロセスは、サブフレームセットを用いて又は用いずに構成されてもよい。以下を含み、サブフレームセットを構成するための複数の選択肢が存在し得る。
【００４３】
・サブフレームセットの構成は、各CSIプロセスのCQI報告構成に含まれる。
【００４４】
・サブフレームセットの構成は、各CSIプロセスIEに含まれる。
【００４５】
・サブフレームがコンポーネントキャリアの１つより多くのCSIプロセスについて構成される場合、構成されたサブフレームセットを有する全てのCSIプロセスは、同じサブフレームセットの対を使用するべきである。
【００４６】
従って、共通のサブフレームセット構成IEがキャリアにおいて規定されてもよく、共通のサブフレームセット構成IEがCSIプロセスIEにより規定されたCSIプロセスに適用するか否かを示すために、インジケータが各CSIプロセスIEと共に含まれる。使用され得る１つの技術は、前述のように使用されるCQI報告構成IEを使用して、共通のサブフレームセット構成IEを規定することである。キャリアアグリゲーション（CA：carrier  aggregation）が使用される場合、現在制限されたサブフレームセットは、プライマリコンポーネントキャリア（PCC：primary  component  carrier）のみに適用し、セカンダリコンポーネントキャリア（SCC：secondary  component  carrier）に影響を及ぼさない。従って、サブフレームセット制限がSCCに拡張する場合、共通のサブフレームセット構成IEは、SCellのCQO報告構成（“CQI-ReportConfigSCell”）に規定されてもよい。他の技術は、別々のIE（例えば、所与のキャリアにおけるCSIサブフレームパターン構成IE）を規定することでもよい。
【００４７】
電力は、CSIプロセス構成における他の検討事項である。CSIプロセス構成に関して、電力オフセット（“Pc”）は、典型的には、参照信号と、CSIフィードバックを生成するために使用される物理下りリンク共有チャネル（PDSCH：physical  downlink  shared  channel）との間の電力オフセットを示す。Pcは、NZP  CSI-RSリソース毎又はCSIプロセス毎に規定されてもよい。更に、eICIC（enhanced  intercell  interference  coordination）が使用される場合、２つの異なるサブセット（例えば、CSIプロセスについて構成された時間周波数サブセット）が存在してもよく、これらのサブセットのPcの値は異なってもよい。異なる仮定に応じて複数の異なる方法でPcを構成することが可能になり得る。
【００４８】
構成されたNZP  CSI-RSリソース毎にPcが規定されることを仮定すると、異なるCSIプロセスのPcの値は異なってもよい。この理由は、CSIプロセスは、異なるCoMP処理技術（例えば、ダイナミックポイント選択（DPS：dynamic  point  selection）、ダイナミックポイントブランキング（DPB：dynamic  point  blanking）、ジョイント送信（JT：joint  transmission）等）を評価するために使用されるからである。従って、NZP  CSI-RSリソースに規定されたPcは、CSIプロセスの実際のPcを反映することができなくてもよい。
【００４９】
例示的な実施例によれば、サブフレームセットがCSIプロセスについて構成されていない場合、Pcは、CSIプロセスの対応するオフセットを示すためにCSIプロセスIE毎に構成される。そうでない場合、更なるPcオフセット（例えば、Pcオフセット1又はPc1）が構成され、元のPc（例えば、Pc）は、サブフレームセット1に使用され、更なるPcオフセット（例えば、Pcオフセット1又はPc1）は、サブフレームセット2に使用される。換言すると、２つのPc（例えば、Pcオフセット1及びPcオフセット2）がCSIプロセス毎に構成され、第１のPcはサブフレームセット1に使用され、第２のPcはサブフレームセット2に使用される。
【００５０】
他の例示的な実施例によれば、各Pc識別子がPc構成IEに関連付けて、Pc識別子がCSIプロセスIE毎に構成される。サブフレームセットがCSIプロセスについて構成されない場合、関連するPc構成IEは１つのPcを含む。サブフレームセットがCSIプロセスについて構成される場合、関連するPc構成IEは２つのPcを含み、第１のPcはサブフレームセット1に関連し、第２のPcはサブフレームセット2に関連する。Pc構成IEのリストが構成されてもよく、Pc構成IEの最大数は、CSIプロセスの数に等しくてもよい。CSIプロセスの実際のPcの値は、（CSIプロセスの）NZP  CSI-RSに関連するPcに、対応するPcオフセットを加えたものに等しくてもよい。
【００５１】
例示的な実施例によれば、構成されたCSIプロセス毎にPcが規定される場合、Pcは、サブフレームセットがCSIプロセスについて構成されない場合には、CSIプロセスIE毎に構成される。サブフレームセットがCSIプロセスについて構成された場合、更なるPcが規定されてもよく、Pcはサブフレームセット1に使用されてもよく、更なるPcはサブフレームセット2に使用されてもよい。換言すると、サブフレームセットが構成されるときに、２つのPcはCSIプロセスIE毎に構成され、第１のPcはサブフレームセット1に使用され、第２のPcはサブフレームセット2に使用される。
【００５２】
別の例示的な実施例によれば、構成されたCSIプロセス毎にPcが規定される場合、各Pc識別子がPc構成IEに関連付けて、Pc識別子はCSIプロセスIE毎に構成される。関連するPc構成IEが１つのPcを含む場合、CSIプロセスについてサブフレームセットは構成されない。関連するPc構成IEが２つのPcを含む場合、サブフレームセットは、CSIプロセスについて構成され、第１のPcはサブフレームセット1に関連し、第２のPcはサブフレームセット2に関連する。Pc構成IEのリストが構成されてもよく、Pc構成IEの最大数は、CSIプロセスの数に等しくてもよい。
【００５３】
複数キャリアの構成（CoMP+CA）の状況では、非周期的なCQIフィードバックの構成は、プライマリセル（PCell）及びセカンダリセル（SCell）で異なってもよい。従って、PCell及びSCellのCQI報告構成も異なる。トリガービットは、CCを示すBit1（ビットマップ）と、報告CQIプロセスを示すBit2（ビットマップ）とを含む。
【００５４】
図８は、第１の通信デバイス800を示している。通信デバイス800は、eNB、アクセスポイント、通信コントローラ、基地局等のようなデバイスの実装でもよく、CSIプロセスを構成するタスクを有するネットワークエンティティでもよい。通信デバイス800は、ここに記載の様々な実施例を実現するために使用されてもよい。図８に示すように、送信機805は、パケット、CSIプロセス構成についての情報等を送信するように構成される。通信デバイス800はまた、パケット、CQI報告等を受信するように構成された受信機810を含む。
【００５５】
CSIプロセス構成ユニット820は、受信デバイスのCSIプロセスを指定するように構成される。CSIプロセス構成ユニット820は、CSIプロセス識別子、NZP  CSI-RSリソース識別子、IMR識別子、CQI報告構成、CQI報告構成IE、Pc等を指定するように構成される。情報生成ユニット822は、構成されたCSIプロセスについての情報を生成するように構成される。情報生成ユニット822は、受信デバイスに送信するメッセージを生成するように構成される。CQI報告処理ユニット824は、受信デバイスから受信したCQI報告を処理し、CQI報告からチャネル品質又はチャネル状態情報を決定するように構成される。メモリ830は、データ、CSIプロセスIE、CSIプロセス構成、CSI報告構成IE、識別子、CQI報告、チャネル品質又は状態情報等を格納するように構成される。
【００５６】
通信デバイス800の要素は、特定のハードウェア論理ブロックとして実装されてもよい。或いは、通信デバイス800の要素は、プロセッサ、コントローラ、特定用途向け集積回路等で実行するソフトウェアとして実装されてもよい。更に他の別法では、通信デバイス800の要素は、ソフトウェア及び／又はハードウェアの組み合わせとして実装されてもよい。
【００５７】
一例として、受信機810及び送信機805は、特定のハードウェアブロックとして実装されてもよく、CSIプロセス構成ユニット820、情報生成ユニット822及びCQI報告処理ユニット824は、マイクロプロセッサ（プロセッサ815等）又はカスタム回路若しくはフィールドプログラマブルゲートアレイのカスタムコンパイル済み論理アレイで実行するソフトウェアモジュールでもよい。CSIプロセス構成ユニット820、情報生成ユニット822及びCQI報告処理ユニット824は、メモリ830に格納されたモジュールでもよい。
【００５８】
図９は、第２の通信デバイス900を示している。通信デバイス900は、eNB、アクセスポイント、通信コントローラ、基地局等のような受信デバイスの実装でもよく、UE、モバイル、移動局、端末、ユーザ、加入者等でもよい。通信デバイス900は、ここに記載の様々な実施例を実現するために使用されてもよい。図９に示すように、送信機805は、パケット、CSI報告等を送信するように構成される。通信デバイス900はまた、パケット、CQIプロセス構成についての情報等を受信するように構成された受信機910を含む。
【００５９】
情報処理ユニット920は、受信デバイスのCSIプロセスの構成を決定するために、CSIプロセス構成についての情報を処理するように構成される。測定ユニット922は、CSIプロセス構成についての情報により提供されるNZP  CSI-RSリソースを使用して通信チャネルを測定し、IMRを使用して干渉を測定するように構成される。測定ユニット922は、必要に応じてPcの値に従って電力調整を行うように構成される。報告ユニット924は、測定ユニット922により行われた測定からCQI報告を生成するように構成される。報告ユニット924は、CQI報告構成情報又はIEに従ってCQI報告を含むメッセージを生成するように構成される。メモリ930は、データ、CSIプロセスIE、CSIプロセスについての情報、CSI報告構成IE、識別子、CQI報告、チャネル品質又は状態測定等を格納するように構成される。
【００６０】
通信デバイス900の要素は、特定のハードウェア論理ブロックとして実装されてもよい。或いは、通信デバイス900の要素は、プロセッサ、コントローラ、特定用途向け集積回路等で実行するソフトウェアとして実装されてもよい。更に他の別法では、通信デバイス900の要素は、ソフトウェア及び／又はハードウェアの組み合わせとして実装されてもよい。
【００６１】
一例として、受信機910及び送信機905は、特定のハードウェアブロックとして実装されてもよく、情報処理ユニット920、測定ユニット922及び報告ユニット924は、マイクロプロセッサ（プロセッサ915等）又はカスタム回路若しくはフィールドプログラマブルゲートアレイのカスタムコンパイル済み論理アレイで実行するソフトウェアモジュールでもよい。情報処理ユニット920、測定ユニット922及び報告ユニット924は、メモリ930に格納されたモジュールでもよい。
【００６２】
この開示及びその利点について詳細に説明したが、特許請求の範囲に記載の開示の要旨及び範囲を逸脱することなく、様々な変更、置換及び代替が行われてもよいことが分かる。
【００６３】
＜追記−CSIプロセス構成＞
PhysicalConfigDedicated情報要素
【００６４】
【表１】
2015534396.tif 000034
【表２】
2015534396.tif 000035
【００６５】
【表３】
2015534396.tif 000036
-IMR-Config
IMR-ConfigのIEは、送信モード10を使用するときに干渉及び雑音を測定するためにサービング周波数で構成され得るCSI-RSリソース構成である。
【００６６】
IMR-Config情報要素
【００６７】
【表４】
2015534396.tif 000037
注：IMRは４つのREで構成されるため、全体で16個の構成が存在する。
【００６８】
【表５】
2015534396.tif 000038
-IMR-Id
IMR-IdのIEは、IMR-ConfigのIEにより構成されるIMRリソース構成を識別するために使用される。識別情報は、キャリア周波数の範囲内で固有である。
【００６９】
IMR-Id情報要素
【００７０】
【表６】
2015534396.tif 000039
-CQI-ReportConfig
CQI-ReportConfigのIEは、CQI報告構成を指定するために使用される。
【００７１】
CQI-ReportConfig情報要素
【００７２】
【表７】
2015534396.tif 000040
【表８】
2015534396.tif 000041
-CQI-ReportConfig-Id
CQI-ReportConfig-IdのIEは、CQI-ReportConfigのIEにより構成されるCQI報告構成を識別するために使用される。識別情報は、キャリア周波数の範囲内で固有である。
【００７３】
IMR-ID情報要素
【００７４】
【表９】
2015534396.tif 000042
-CSI-Process-Config
CSI-Process-ConfigのIEは、送信モード10を使用するときにE-UTRANがサービング周波数で構成し得るCSIフィードバック構成である。
【００７５】
CSI-Process-Config情報要素
【００７６】
【表１０】
2015534396.tif 000043
-CSI-Process-Id
CSI-Process-IdのIEは、CSI-Process-ConfigのIEにより構成されるCSIプロセスを識別するために使用される。識別情報は、キャリア周波数の範囲内で固有である。
【００７７】
CSI-Process-Id情報要素
【００７８】
【表１１】
2015534396.tif 000044
6.4  RRC多重度（multiplicity）及びタイプ制約の値
-多重度及びタイプ制約の規定
【００７９】
【表１２】
2015534396.tif 000045
注：maxDRBの値はSA2と一致する。
【００８０】
-EUTRA-RRC-Definitionsの終わり
【００８１】
【表１３】
2015534396.tif 000046
【手続補正２】
【補正対象書類名】特許請求の範囲
【補正対象項目名】全文
【補正方法】変更
【補正の内容】
【特許請求の範囲】
【請求項１】
無線通信システムにおいて通信する方法であって、
デバイスにより、チャネル状態情報（CSI）プロセス識別子と、非ゼロ電力CSI参照信号（CSI-RS）識別子と、干渉測定リソース（IMR）識別子と、チャネル品質インジケータ（CQI）報告構成情報とを含むCSIプロセス情報要素（IE）を生成するステップと、
前記デバイスにより、前記CSIプロセスIEを送信するステップと
を有する方法。
【請求項２】
前記CQI報告構成情報は、周期的CQI報告構成識別子又は非周期的CQI報告構成識別子を有する、請求項１に記載の方法。
【請求項３】
前記CSIプロセスIEは、単一のCSIプロセスについての情報又は単一の受信デバイスに関連するCSIプロセスについての情報を有する、請求項１又は２に記載の方法。
【請求項４】
前記CSIプロセスIEは、電力オフセットを更に有する、請求項１ないし３のうちいずれか１項に記載の方法。
【請求項５】
前記CQI報告構成情報に従ってCQIを受信するステップを更に有する、請求項１ないし４のうちいずれか１項に記載の方法。
【請求項６】
無線通信システムにおいて通信する方法であって、
受信デバイスにより、チャネル状態情報（CSI）プロセス識別子と、非ゼロ電力CSI参照信号（CSI-RS）識別子と、干渉測定リソース（IMR）識別子と、チャネル品質インジケータ（CQI）報告構成情報とを含むCSIプロセス情報要素（IE）を受信するステップと、
前記受信デバイスにより、前記CSIプロセスIEを処理するステップと
を有する方法。
【請求項７】
前記CQI報告構成情報は、周期的CQI報告構成識別子又は非周期的CQI報告構成識別子を有する、請求項６に記載の方法。
【請求項８】
前記CSIプロセスIEは、単一のCSIプロセスについての情報又は単一の受信デバイスに関連するCSIプロセスについての情報を有する、請求項６又は７に記載の方法。
【請求項９】
前記非ゼロ電力CSI-RS識別子及び前記IMR識別子に従って通信チャネルを測定するステップと、
前記測定された通信チャネルからCQIを導くステップと、
前記CQI報告構成情報に従って前記CQIを送信するステップと
を更に有する、請求項６ないし８のうちいずれか１項に記載の方法。
【請求項１０】
前記CSIプロセスIEは、電力オフセットを更に有し、
前記方法は、前記電力オフセットに従って前記CQIを調整するステップを更に有する、請求項９に記載の方法。
【請求項１１】
チャネル状態情報（CSI）プロセス識別子と、非ゼロ電力CSI参照信号（CSI-RS）識別子と、干渉測定リソース（IMR）識別子と、チャネル品質インジケータ（CQI）報告構成情報とを含むCSIプロセス情報要素（IE）を生成するように構成されたプロセッサと、
前記プロセッサに動作可能に結合され、前記CSIプロセスIEを送信するように構成された送信機と
を有するデバイス。
【請求項１２】
前記CQI報告構成情報は、周期的CQI報告構成識別子又は非周期的CQI報告構成識別子を有する、請求項１１に記載のデバイス。
【請求項１３】
前記デバイスは、evolved  NodeBと、CSIプロセスを構成するタスクを有するエンティティとのうち１つである、請求項１１又は１２に記載のデバイス。
【請求項１４】
チャネル状態情報（CSI）プロセス識別子と、非ゼロ電力CSI参照信号（CSI-RS）識別子と、干渉測定リソース（IMR）識別子と、チャネル品質インジケータ（CQI）報告構成情報とを含むCSIプロセス情報要素（IE）を受信するように構成された受信機と、
前記受信機に動作可能に結合され、前記CSIプロセスIEで動作するように構成されたプロセッサと
を有する受信デバイス。
【請求項１５】
前記プロセッサは、前記非ゼロ電力CSI-RS識別子及び前記IMR識別子に従って通信チャネルを測定し、前記測定された通信チャネルからCQIを導くように構成され、
前記受信デバイスは、前記プロセッサに動作可能に結合され、前記CQI報告構成情報に従って前記CQIを送信するように構成された送信機を更に有する、請求項１４に記載の受信デバイス。
【請求項１６】
前記CSIプロセスIEは、電力オフセットを更に有し、
前記プロセッサは、前記電力オフセットに従って前記CQIを調整するように構成される、請求項１５に記載の受信デバイス。
【請求項１７】
前記受信デバイスは、evolved  NodeBと、ユーザ装置とのうち１つを有する、請求項１４ないし１６のうちいずれか１項に記載の受信デバイス。
【請求項１８】
コンピュータシステムに対して請求項１ないし５のうちいずれか１項に記載の方法を実行させるプログラム命令を有するコンピュータプログラム。
【請求項１９】
コンピュータシステムに対して請求項６ないし１０のうちいずれか１項に記載の方法を実行させるプログラム命令を有するコンピュータプログラム。
【国際調査報告】
2015534396.tif 000047